(57)【要約】【課題】  本発明の課題は、犬や猫などのペットの飼い主や野生動物の観察者（研究者）などが動物社会の状況を知得することができる動物社会状況知得システムを提供することにある。【解決手段】  動物社会状況知得システム１は、第１動物生体情報取得手段４５，４６、第２動物特定情報取得手段４７、第１動物反応情報導出手段４０、および第１動物反応情報記憶手段４４を備える。第１動物生体情報取得手段４５，４６は、第１動物２ａの生体情報を取得するための手段である。第２動物特定情報取得手段４７は、第２動物特定情報を取得する。第１動物反応情報導出手段４０は、第１動物の生体情報を利用して第１動物反応情報を導出する。第１動物反応情報記憶手段４４は、第２動物特定情報と第１動物反応情報とを関連付けて記憶する。【選択図】      図１
2006181132.tif 000002
【特許請求の範囲】
【請求項１】
第１動物（２ａ）の生体情報を取得するための第１動物生体情報取得手段（４５，４６）と、
第２動物（２ｂ）を特定するための情報である第２動物特定情報を取得する第２動物特定情報取得手段（４７）と、
前記第１動物の前記生体情報を利用して前記第１動物の前記第２動物に対する反応を反映する情報である第１動物反応情報を導出する第１動物反応情報導出手段（４０）と、
前記第２動物特定情報と前記第１動物反応情報とを関連付けて記憶する第１動物反応情報記憶手段（４４）と、
を備える、動物社会状況知得システム（１）。
【請求項２】
前記第２動物の生体情報を取得するための第２動物生体情報取得手段（４５，４６）と、
前記第２動物の前記生体情報を利用して前記第２動物の前記第１動物に対する反応を反映する情報である第２動物反応情報を導出する第２動物反応情報導出手段（４０）と、
前記第１動物反応情報と前記第２動物反応情報とを利用して前記第１動物と前記第２動物との相性関係を反映する情報である動物相性関係情報を導出する動物相性関係情報導出手段と（４０）、
をさらに備え、
前記第１動物反応情報記憶手段（４４）は、前記第２動物特定情報と前記動物相性関係情報とを関連付けて記憶する、
請求項１に記載の動物社会状況知得システム。
【請求項３】
前記第２動物の前記生体情報と前記第２動物反応情報とを関連付ける第１情報関連テーブルを保持する第１情報関連テーブル保持手段（４１）をさらに備え、
前記第２動物反応情報導出手段は、前記第２動物の前記生体情報を前記第１情報関連テーブルに照合して前記第２動物反応情報を導出する、
請求項２に記載の動物社会状況知得システム。
【請求項４】
前記第１動物反応情報と前記第２動物反応情報との組合せと前記動物相性関係情報とを関連付ける第２情報関連テーブルを保持する第２情報関連テーブル保持手段（４１）をさらに備え、
前記動物相性関係情報導出手段は、前記第１動物反応情報と前記第２動物反応情報との組合せを前記第２情報関連テーブルに照合して前記動物相性関係情報を導出する、
請求項２または３に記載の動物社会状況知得システム。
【請求項５】
前記第１動物の前記生体情報と前記第１動物反応情報とを関連付ける第３情報関連テーブルを保持する第３情報関連テーブル保持手段（４１）をさらに備え、
前記第１動物反応情報導出手段は、前記第１動物の前記生体情報を前記第３情報関連テーブルに照合して前記第１動物反応情報を導出する、
請求項１から４のいずれかに記載の動物社会状況知得システム。
【請求項６】
前記第２動物特定情報を記憶する第２動物特定情報記憶手段（４３）と、前記第２動物特定情報を無線送信する第２動物特定情報送信手段（４７）とを有する第２動物用第１情報機器（４ｂ）をさらに備え、
前記第２動物特定情報取得手段は、前記第２動物用第１情報機器が所定の距離に入った場合に、前記第２動物用第１情報機器から前記第２動物特定情報を受信する、
請求項１から５のいずれかに記載の動物社会状況知得システム。
【請求項７】
前記第２動物用第１情報機器から前記第２動物特定情報を受信した時刻の情報である第１情報受信時刻情報を取得する第１情報受信時刻情報取得手段をさらに備え、
前記第１動物反応情報記憶手段は、前記第２動物特定情報と前記第１情報受信時刻情報とを関連付けて記憶する、
請求項６に記載の動物社会状況知得システム。
【請求項８】
前記第２動物の固有情報である第２動物固有情報を取得する第２動物固有情報取得手段（４７）をさらに備え、
前記第１動物反応情報記憶手段は、前記第２動物特定情報と前記第２動物固有情報とを関連付けて記憶する、
請求項１から７のいずれかに記載の動物社会状況知得システム。
【請求項９】
前記第２動物固有情報を記憶する第２動物固有情報記憶手段（４３）と、前記第２動物固有情報を無線送信する第２動物固有情報送信手段（４７）とを有する第２動物用第２情報機器（４ｂ）をさらに備え、
前記第２動物固有情報取得手段は、前記第２動物用第２情報機器が所定の距離に入った場合に、前記第２動物用第２情報機器から前記第２動物固有情報を受信する、
請求項８に記載の動物社会状況知得システム。
【請求項１０】
前記第２動物用第２情報機器から前記第２動物固有情報を受信した時刻の情報である第２情報受信時刻情報を取得する第２情報受信時刻情報取得手段（４０）をさらに備え、
前記第１動物反応情報記憶手段は、前記第２動物特定情報と前記第２情報受信時刻情報とを関連付けて記憶する、
請求項９に記載の動物社会状況知得システム。
【請求項１１】
電波を発信または受信する電波発信等装置（４８）と、
前記電波発信等装置の位置情報を取得する位置情報取得手段（５６）と、
をさらに備える、請求項１から１０のいずれかに記載の動物社会状況知得システム。
【請求項１２】
時刻情報を取得する時刻情報取得手段と、
前記時刻情報に対して前記位置情報を記憶する位置履歴情報記憶手段と、
をさらに備える、請求項１１に記載の動物社会状況知得システム。
【請求項１３】
前記第１動物反応情報記憶手段に記憶される情報を所定の情報機器に対して送信する記憶情報送信手段をさらに備える、請求項１から１２のいずれかに記載の動物社会状況知得システム。
【請求項１４】
第１動物（２ａ）に装着するための動物用情報端末であって、
前記第１動物の生体情報を取得するための第１動物生体情報取得手段（４５，４６）と、
第２動物（２ｂ）を特定するための情報である第２動物特定情報を取得する第２動物特定情報取得手段（４７）と、
前記第１動物の前記生体情報を利用して前記第１動物の前記第２動物に対する反応を反映する情報である第１動物反応情報を導出する第１動物反応情報導出手段（４０）と、
前記第２動物特定情報と前記第１動物反応情報とを関連付けて記憶する第１動物反応情報記憶手段（４４）と、
を備える、動物用情報端末（４ａ）。
【請求項１５】
第１動物（２ａ）の飼い主または観察者が所持するための飼い主等用情報端末であって、
前記第１動物の生体情報を収集する第１動物生体情報収集装置（４ａ）から前記第１動物の生体情報を受信する生体情報受信手段（５５）と、
第２動物（２ｂ）を特定するための情報である第２動物特定情報を取得する第２動物特定情報取得手段（５５）と、
前記第１動物の前記生体情報を利用して前記第１動物の前記第２動物に対する反応を反映する情報である第１動物反応情報を導出する第１動物反応情報導出手段（５０）と、
前記第２動物特定情報と前記第１動物反応情報とを関連付けて記憶する第１動物反応情報記憶手段（５１）と、
を備える、飼い主等用情報端末（５）。
【発明の詳細な説明】
【技術分野】
【０００１】
本発明は、人間が動物の社会状況を知得することができる動物社会状況知得システム並びにその動物社会状況知得システムに用いられる動物用情報端末および飼い主等用情報端末に関する。
【背景技術】
【０００２】
従来、犬や猫の鳴き声を翻訳したり犬や猫の鳴き声から推測されるその犬や猫の感情などを表示したりする装置がある（例えば、特許文献１、非特許文献２、および非特許文献３参照）。
【特許文献１】特開２００２−２７８５８３号公報
【非特許文献２】タカラ社Ｗｅｂページ［平成１６年１０月４日検索］，インターネット＜URL：http://www.takaratoys.co.jp/bowlingual/＞
【非特許文献３】タカラ社Ｗｅｂページ［平成１６年１０月４日検索］，インターネット＜URL：http://www.takaratoys.co.jp/meowlingual/＞
【発明の開示】
【発明が解決しようとする課題】
【０００３】
ところで、犬や猫などのペットの飼い主や野生動物の観察者（研究者）などは、それらの動物の感情のみならずそれらの動物が形成する動物社会にも興味があると思われる。本発明の課題は、犬や猫などのペットの飼い主や野生動物の観察者（研究者）などが動物社会の状況を知得することができる動物社会状況知得システムを提供することにある。
【課題を解決するための手段】
【０００４】
第１発明に係る動物社会状況知得システムは、第１動物生体情報取得手段、第２動物特定情報取得手段、第１動物反応情報導出手段、および第１動物反応情報記憶手段を備える。第１動物生体情報取得手段は、第１動物の生体情報を取得するための手段である。なお、ここにいう「生体情報」とは、例えば、体温、心拍数、脈拍数、あるいは鳴き声などである。第２動物特定情報取得手段は、第２動物特定情報を取得する。なお、ここにいう「第２動物特定情報」とは、第２動物を特定するための情報であって、例えば、第２動物の名前（人間が命名した名前（その動物がペットである場合）や学術名（野生動物の場合）など）、分類名（犬科や猫科など）、種別名（例えば、プードル、セントバーナード、アメリカンショートヘヤー、三毛猫など）、肖像画像、あるいは飼い主の住所や居所などの情報である。また、ここにいう「第２動物」には、人間が含まれる。第１動物反応情報導出手段は、第１動物の生体情報を利用して第１動物反応情報を導出する。なお、ここにいう「第１動物反応情報」とは、第１動物の第２動物に対する反応を反映する情報であって、例えば、「好き」、「嫌い」、あるいは「特に気にならない」などの情報である。第１動物反応情報記憶手段は、第２動物特定情報と第１動物反応情報とを関連付けて記憶する。
【０００５】
この動物社会状況知得システムでは、第１動物生体情報取得手段が、第１動物の生体情報を取得する。また、第２動物特定情報取得手段が、第２動物特定情報を取得する。また、第１動物反応情報導出手段が、第１動物の生体情報を利用して第１動物反応情報を導出する。そして、第１動物反応情報記憶手段が、第２動物特定情報と第１動物反応情報とを関連付けて記憶する。このため、この動物社会状況知得システムでは、例えば、飼い犬の散歩などにおいて飼い犬が他の飼い犬などに遭遇するたびに、その飼い犬の他の飼い犬に対する反応を反映した情報が、その他の飼い犬を特定する情報とともに記憶される。また、例えば、飼い猫が単独で外出した場合、その外出において飼い猫が他の動物（猫や犬、人間など）に遭遇するたびに、その飼い猫の他の動物に対する反応を反映した情報が、その他の動物を特定する情報とともに記憶される。また、例えば、野生動物の生活において野生動物が他の野生動物に遭遇するたびに、その野生動物の他の野生動物に対する反応を反映した情報が、その他の野生動物を特定する情報とともに記憶される。したがって、この動物社会状況知得システムでは、飼い犬、飼い猫、あるいは野生動物などの動物社会の状況を反映した情報を記憶・蓄積することができる。この結果、この動物社会状況知得システムでは、第１動物反応情報記憶手段に記憶・蓄積される情報を出力（例えば、ディスプレイへの画面表示やプリンタへの印刷など）することができれば、犬や猫などのペットの飼い主や野生動物の観察者（研究者）などが動物社会の状況を知得することができる。また、特に、犬の飼い主は、第１動物反応情報記憶手段に記憶・蓄積される情報を利用して、飼い犬を散歩に連れ行く場合において、その飼い犬を、その飼い犬が好意を抱いている他の飼い犬に頻繁に会わせるように散歩時間に散歩ルートを合わせたり、逆に、その飼い犬を、その飼い犬が敵意を抱いている他の飼い犬に会わせないように散歩時間や散歩ルートを変更したりすることができる。
【０００６】
第２発明に係る動物社会状況知得システムは、第１発明に係る動物社会状況知得システムであって、第２動物生体情報取得手段、第２動物反応情報導出手段、および動物相性関係情報導出手段をさらに備える。第２動物生体情報取得手段は、第２動物の生体情報を取得するための手段である。第２動物反応情報導出手段は、第２動物の生体情報を利用して第２動物反応情報を導出する。なお、ここにいう「第２動物反応情報」とは、第２動物の第１動物に対する反応を反映する情報であって、例えば、「好き」、「嫌い」、あるいは「特に気にならない」などの情報である。動物相性関係情報導出手段は、第１動物反応情報と第２動物反応情報とを利用して動物相性関係情報を導出する。なお、ここにいう「動物相性関係情報」とは、第１動物と第２動物との相性関係を反映する情報であって、例えば、「大の仲良し（両思い）」、「犬猿の仲」、あるいは「片思い」などの情報である。そして、第１動物反応情報記憶手段は、第２動物特定情報と動物相性関係情報とを関連付けて記憶する。
【０００７】
この動物社会状況知得システムでは、第２動物生体情報取得手段が、第２動物の生体情報を取得する。次に、第２動物反応情報導出手段が、第２動物の生体情報を利用して第２動物反応情報を導出する。続いて、動物相性関係情報導出手段が、第１動物反応情報と第２動物反応情報とを利用して動物相性関係情報を導出する。そして、第１動物反応情報記憶手段が、第２動物特定情報と動物相性関係情報とを関連付けて記憶する。このため、この動物社会状況知得システムでは、例えば、飼い犬の散歩などにおいて飼い犬が他の飼い犬などに遭遇するたびに、その飼い犬と他の飼い犬との相性関係を反映した情報が、その他の飼い犬を特定する情報とともに記憶される。また、例えば、飼い猫が単独で外出した場合、その外出において飼い猫が他の動物（猫や犬、人間など）に遭遇するたびに、その飼い猫と他の動物との相性関係を反映した情報がその他の動物を特定する情報とともに記憶される。また、例えば、野生動物の生活において野生動物が他の野生動物に遭遇するたびに、その野生動物と他の野生動物との相性関係を反映した情報が、その他の野生動物を特定する情報とともに記憶される。したがって、この動物社会状況知得システムでは、飼い犬、飼い猫、あるいは野生動物などの動物社会の状況を反映した情報を記憶・蓄積することができる。この結果、この動物社会状況知得システムでは、第１動物反応情報記憶手段に記憶・蓄積される情報を出力（例えば、ディスプレイへの画面表示やプリンタへの印刷など）することができれば、犬や猫などのペットの飼い主や野生動物の観察者（研究者）などが動物社会の状況を知得することができる。また、特に、犬の飼い主は、第１動物反応情報記憶手段に記憶・蓄積される情報を利用して、飼い犬を散歩に連れ行く場合において、その飼い犬を、その飼い犬と相性関係の良い他の飼い犬に頻繁に会わせるように散歩時間に散歩ルートを合わせたり、逆に、その飼い犬を、その飼い犬と相性関係が悪い他の飼い犬に会わせないように散歩時間や散歩ルートを変更したりすることができる。
【０００８】
第３発明に係る動物社会状況知得システムは、第２発明に係る動物社会状況知得システムであって、第１情報関連テーブル保持手段をさらに備える。第１情報関連テーブル保持手段は、第１情報関連テーブルを保持する。第１情報関連テーブルでは、第２動物の生体情報と第２動物反応情報とが関連付けられる。そして、第２動物反応情報導出手段は、第２動物の生体情報を第１情報関連テーブルに照合して第２動物反応情報を導出する。
【０００９】
この動物社会状況知得システムでは、第２動物反応情報導出手段が、第２動物の生体情報を第１情報関連テーブルに照合して第２動物反応情報を導出する。このため、この動物社会状況知得システムでは、簡易なロジックで第２動物反応情報を導出することができる。したがって、この動物社会状況知得システムでは、第２動物反応情報の導出処理を素早くすることができる。
【００１０】
第４発明に係る動物社会状況知得システムは、第２発明または第３発明に係る動物社会状況知得システムであって、第２情報関連テーブル保持手段をさらに備える。第２情報関連テーブル保持手段は、第２情報関連テーブルを保持する。第２情報関連テーブルでは、第１動物反応情報と第２動物反応情報との組合せと動物相性関係情報とが関連付けられる。動物相性関係情報導出手段は、第１動物反応情報と第２動物反応情報との組合せを第２情報関連テーブルに照合して動物相性関係情報を導出する。
【００１１】
この動物社会状況知得システムでは、動物相性関係情報導出手段が、第１動物反応情報と第２動物反応情報との組合せを第２情報関連テーブルに照合して動物相性関係情報を導出する。このため、この動物社会状況知得システムでは、簡易なロジックで動物相性関係情報を導出することができる。したがって、この動物社会状況知得システムでは、動物相性関係情報の導出処理を素早くすることができる。
【００１２】
第５発明に係る動物社会状況知得システムは、第１発明から第４発明のいずれかに係る動物社会状況知得システムであって、第３情報関連テーブル保持手段をさらに備える。第３情報関連テーブル保持手段は、第３情報関連テーブルを保持する。第３情報関連テーブルでは、第１動物の生体情報と第１動物反応情報とが関連付けられる。第１動物反応情報導出手段は、第１動物の生体情報を第３情報関連テーブルに照合して第１動物反応情報を導出する。
【００１３】
この動物社会状況知得システムでは、第１動物反応情報導出手段が、第１動物の生体情報を第３情報関連テーブルに照合して第１動物反応情報を導出する。このため、この動物社会状況知得システムでは、簡易なロジックで第１動物反応情報を導出することができる。したがって、この動物社会状況知得システムでは、第１動物反応情報の導出処理を素早くすることができる。
【００１４】
第６発明に係る動物社会状況知得システムは、第１発明から第５発明のいずれかに係る動物社会状況知得システムであって、第２動物用第１情報機器をさらに備える。第２動物用第１情報機器は、第２動物特定情報記憶手段および第２動物特定情報送信手段を有する。第２動物特定情報記憶手段は、第２動物特定情報を記憶している。第２動物特定情報送信手段は、第２動物特定情報を無線送信する。第２動物特定情報取得手段は、第２動物用第１情報機器が所定の距離に入った場合に、第２動物用第１情報機器から第２動物特定情報を受信する。
【００１５】
この動物社会状況知得システムでは、第２動物特定情報記憶手段が、第２動物特定情報を記憶している。また、第２動物用第１情報機器が所定の距離に入った場合に、第２動物特定情報取得手段が第２動物用第１情報機器から第２動物特定情報を受信する。このため、この動物社会状況知得システムでは、第２動物用第１情報機器を第２動物に装着し且つ第２動物特定情報受信手段を第１動物に装着しておけば、第２動物と第１動物とが所定の距離（例えば、数メートル）まで接近したときに、第２動物特定情報取得手段が自動的に第２動物特定情報を取得することができる。したがって、この動物社会状況知得システムでは、簡便に且つタイミングよく第２動物特定情報を取得することができる。
【００１６】
第７発明に係る動物社会状況知得システムは、第６発明に係る動物社会状況知得システムであって、第１情報受信時刻情報取得手段をさらに備える。第１情報受信時刻情報取得手段は、第１情報受信時刻情報を取得する。なお、ここにいう「第１情報受信時刻情報」とは、第２動物用第１情報機器から第２動物特定情報を受信した時刻の情報である。そして、第１動物反応情報記憶手段は、第２動物特定情報と第１情報受信時刻情報とを関連付けて記憶する。
【００１７】
この動物社会状況知得システムでは、第１情報受信時刻情報取得手段が、第１情報受信時刻情報を取得する。そして、第１動物反応情報記憶手段が、第２動物特定情報と第１情報受信時刻情報とを関連付けて記憶する。このため、この動物社会状況知得システムでは、例えば、飼い猫が単独で外出した場合において、その外出における飼い猫の他の動物（猫や犬、人間など）との遭遇履歴を飼い主が把握することができる。また、この動物社会状況知得システムでは、例えば、野生動物の生活において野生動物の他の野生動物との遭遇履歴を観察者や研究者が把握することができる。したがって、この動物社会状況知得システムでは、第１動物反応情報記憶手段に記憶・蓄積される情報を出力（例えば、ディスプレイへの画面表示やプリンタへの印刷など）することができれば、飼い主や観察者などは、飼い猫や野生動物の生態をより詳細に知得することができる。
【００１８】
第８発明に係る動物社会状況知得システムは、第１発明から第７発明のいずれかに係る動物社会状況知得システムであって、第２動物固有情報取得手段をさらに備える。第２動物固有情報取得手段は、第２動物固有情報を取得する。なお、ここにいう「第２動物固有情報」とは、第２動物の固有情報であって、例えば、第２動物の年齢、分類名、種別名、学術名、雌雄、好物、好きな遊び、好きな場所、好きな散歩ルート、肖像画像、第２動物と第３動物との関係、あるいは飼い主の住所や居所などである。そして、第１動物反応情報記憶手段は、第２動物特定情報と第２動物固有情報とを関連付けて記憶する。
【００１９】
この動物社会状況知得システムでは、第２動物固有情報取得手段が、第２動物固有情報を取得する。そして、第１動物反応情報記憶手段が、第２動物特定情報と第２動物固有情報とを関連付けて記憶する。このため、この動物社会状況知得システムでは、第１動物反応情報記憶手段に記憶・蓄積される情報を出力（例えば、ディスプレイへの画面表示やプリンタへの印刷など）することができれば、飼い主や観察者などは、第２動物の特性などを知得することができる。したがって、この動物社会状況知得システムでは、飼い主や観察者などは、飼い犬、飼い猫、あるいは野生動物の生態をより詳細に知得することができる。また、特に、犬の飼い主は、他の飼い犬の飼い主からその他の飼い犬の紹介を受けなくてもその他の飼い犬の名前や雌雄などの情報を得ることができる。
【００２０】
第９発明に係る動物社会状況知得システムは、第８発明に係る動物社会状況知得システムであって、第２動物用第２情報機器をさらに備える。第２動物用第２情報機器は、第２動物固有情報記憶手段および第２動物固有情報送信手段を有する。第２動物固有情報記憶手段は、第２動物固有情報を記憶する。第２動物固有情報送信手段は、第２動物固有情報を無線送信する。第２動物固有情報取得手段は、第２動物用第２情報機器が所定の距離に入った場合に、第２動物用第２情報機器から第２動物固有情報を受信する。
【００２１】
この動物社会状況知得システムでは、第２動物固有情報記憶手段が、第２動物固有情報を記憶している。また、第２動物用第２情報機器が所定の距離に入った場合に、第２動物固有情報取得手段が第２動物用第２情報機器から第２動物固有情報を受信する。このため、この動物社会状況知得システムでは、第２動物用第２情報機器を第２動物に装着し且つ第２動物固有情報受信手段を第１動物に装着しておけば、第２動物と第１動物とが所定の距離（例えば、数メートル）まで接近したときに、第２動物固有情報取得手段が自動的に第２動物固有情報を取得することができる。したがって、この動物社会状況知得システムでは、簡便に且つタイミングよく第２動物固有情報を取得することができる。
【００２２】
第１０発明に係る動物社会状況知得システムは、第９発明に係る動物社会状況知得システムであって、第２情報受信時刻情報取得手段をさらに備える。第２情報受信時刻情報取得手段は、第２情報受信時刻情報を取得する。なお、ここにいう「第２情報受信時刻情報」とは、第２動物用第２情報機器から第２動物固有情報を受信した時刻の情報である。そして、第１動物反応情報記憶手段は、第２動物特定情報と第２情報受信時刻情報とを関連付けて記憶する。
【００２３】
この動物社会状況知得システムでは、第２情報受信時刻情報取得手段が、第２情報受信時刻情報を取得する。そして、第１動物反応情報記憶手段が、第２動物特定情報と第２情報受信時刻情報とを関連付けて記憶する。このため、この動物社会状況知得システムでは、飼い主が第１動物と第２動物との出会いを経時的に追跡することができる。また、このような動物社会状況知得システムは、主に猫などの動物に対して有用である。
【００２４】
第１１発明に係る動物社会状況知得システムは、第１発明から第１０発明のいずれかに係る動物社会状況知得システムであって、電波発信等装置および位置情報取得手段をさらに備える。電波発信等装置は、電波を発信または受信する。なお、ここにいう「電波発信等装置」とは、例えば、電波発信器やＧＰＳ（Global Positioning System）（全地球測位システム）の受信機などである。位置情報取得手段は、電波発信等装置の位置情報を取得する。
【００２５】
この動物社会状況知得システムでは、電波発信等装置が、電波を発信または受信する。そして、位置情報取得手段が、電波発信等装置の位置情報を取得する。このため、この動物社会状況知得システムでは、第１動物が飼い犬や飼い猫などである場合、電波発信等装置を第１動物に装着しておけば、第１動物が迷子になった場合に、飼い主は、容易にその居場所をつきとめることができる。また、第１動物および第２動物がともに飼い犬である場合、第１動物と第２動物とに電波発信等装置を装着しておけば、その犬の飼い主は、他の飼い犬の位置を確認することにより、その飼い犬と他の飼い犬とを会わせたり、逆にその飼い犬を他の飼い犬から遠ざけたりすることができる。また、第１動物が飼い猫や野生動物である場合、飼い主や観察者などは、その飼い猫や野生動物の行動範囲や活動ルートを知得することができる。
【００２６】
第１２発明に係る動物社会状況知得システムは、第１１発明に係る動物社会状況知得システムであって、時刻情報取得手段および位置履歴情報記憶手段をさらに備える。時刻情報取得手段は、時刻情報を取得する。位置履歴情報記憶手段は、時刻情報に対して位置情報を記憶する。
この動物社会状況知得システムでは、時刻情報取得手段が、時刻情報を取得する。そして、位置履歴情報記憶手段が、時刻情報に対して位置情報を記憶する。このため、この動物社会状況知得システムでは、例えば、第１動物が飼い猫や野生動物である場合、飼い主や観察者などは、逐一追跡しなくても、その飼い猫や野生動物の行動範囲や活動ルートを容易に知得することができる。
【００２７】
第１３発明に係る動物社会状況知得システムは、第１発明から第１２発明のいずれかに係る動物社会状況知得システムであって、記憶情報送信手段をさらに備える。記憶情報送信手段は、第１動物反応情報記憶手段に記憶される情報を所定の情報機器に対して送信する。
この動物社会状況知得システムでは、記憶情報送信手段が、第１動物反応情報記憶手段に記憶される情報を所定の情報機器に対して送信する。このため、この動物社会状況知得システムでは、例えば、第１動物が飼い猫や野生動物である場合、飼い主や観察者などは、所定の情報機器を所持していれば、第１動物から離れたところであっても、適宜、種々の情報を閲覧することができる。特に、第１動物が野生動物である場合は、観察者などの安全を確保することができる。
【００２８】
第１４発明に係る動物用情報端末は、第１動物に装着するための動物用情報端末であって、第１動物生体情報取得手段、第２動物特定情報取得手段、第１動物反応情報導出手段、および第１動物反応情報記憶手段を備える。第１動物生体情報取得手段は、第１動物の生体情報を取得するための手段である。なお、ここにいう「生体情報」とは、例えば、体温、心拍数、脈拍数、あるいは鳴き声などである。第２動物特定情報取得手段は、第２動物特定情報を取得する。なお、ここにいう「第２動物特定情報」とは、第２動物を特定するための情報であって、例えば、第２動物の名前（人間が命名した名前（その動物がペットである場合）や学術名（野生動物の場合）など）、分類名（犬科や猫科など）、種別名（例えば、プードル、セントバーナード、アメリカンショートヘヤー、三毛猫など）、肖像画像、あるいは飼い主の住所や居所などの情報である。また、ここにいう「第２動物」には、人間が含まれる。第１動物反応情報導出手段は、第１動物の生体情報を利用して第１動物反応情報を導出する。なお、ここにいう「第１動物反応情報」とは、第１動物の第２動物に対する反応を反映する情報であって、例えば、「好き」、「嫌い」、あるいは「特に気にならない」などの情報である。第１動物反応情報記憶手段は、第２動物特定情報と第１動物反応情報とを関連付けて記憶する。
【００２９】
この動物用情報端末では、第１動物生体情報取得手段が、第１動物の生体情報を取得する。また、第２動物特定情報取得手段が、第２動物特定情報を取得する。また、第１動物反応情報導出手段が、第１動物の生体情報を利用して第１動物反応情報を導出する。そして、第１動物反応情報記憶手段が、第２動物特定情報と第１動物反応情報とを関連付けて記憶する。このため、この動物用情報端末では、例えば、飼い猫が単独で外出した場合、その外出において飼い猫が他の動物（猫や犬、人間など）に遭遇するたびに、その飼い猫の他の動物に対する反応を反映した情報が、その他の動物を特定する情報とともに記憶される。また、例えば、野生動物の生活において野生動物が他の野生動物に遭遇するたびに、その野生動物の他の野生動物に対する反応を反映した情報が、その他の野生動物を特定する情報とともに記憶される。したがって、この動物用情報端末では、人間の管理下にない飼い猫あるいは野生動物などの動物社会の状況を反映した情報を記憶・蓄積することができる。この結果、飼い主や観察者などが、第１動物反応情報記憶手段に記憶・蓄積される情報を出力（例えば、ディスプレイへの画面表示やプリンタへの印刷など）することができれば、猫などのペットの飼い主や野生動物の観察者（研究者）などが動物社会の状況を知得することができる。
【００３０】
第１５発明に係る飼い主等用情報端末は、第１動物の飼い主または観察者が所持するための飼い主等用情報端末であって、生体情報受信手段、第２動物特定情報取得手段、第１動物反応情報導出手段、および第１動物反応情報記憶手段を備える。生体情報受信手段は、第１動物の生体情報を収集する第１動物生体情報収集装置から第１動物の生体情報を受信する。なお、ここにいう「生体情報」とは、例えば、体温、心拍数、脈拍数、あるいは鳴き声などである。また、ここにいう「受信」は、有線受信であってもよい無線受信であってもよい。第２動物特定情報取得手段は、第２動物特定情報を取得する。なお、ここにいう「第２動物特定情報」とは、第２動物を特定するための情報であって、例えば、第２動物の名前（人間が命名した名前（その動物がペットである場合）や学術名（野生動物の場合）など）、分類名（犬科や猫科など）、種別名（例えば、プードル、セントバーナード、アメリカンショートヘヤー、三毛猫など）、肖像画像、あるいは飼い主の住所や居所などの情報である。また、ここにいう「第２動物」には、人間が含まれる。第１動物反応情報導出手段は、第１動物の生体情報を利用して第１動物反応情報を導出する。なお、ここにいう「第１動物反応情報」とは、第１動物の第２動物に対する反応を反映する情報であって、例えば、「好き」、「嫌い」、あるいは「特に気にならない」などの情報である。第１動物反応情報記憶手段は、第２動物特定情報と第１動物反応情報とを関連付けて記憶する。
【００３１】
この飼い主等用情報端末では、生体情報受信手段が、第１動物の生体情報を収集する第１動物生体情報収集装置から第１動物の生体情報を受信する。また、第２動物特定情報取得手段が、第２動物特定情報を取得する。また、第１動物反応情報導出手段が、第１動物の生体情報を利用して第１動物反応情報を導出する。そして、第１動物反応情報記憶手段が、第２動物特定情報と第１動物反応情報とを関連付けて記憶する。このため、この飼い主等用情報端末では、例えば、飼い犬の散歩などにおいて飼い犬が他の飼い犬などに遭遇するたびに、その飼い犬の他の飼い犬に対する反応を反映した情報が、その他の飼い犬を特定する情報とともに記憶される。また、例えば、飼い猫が単独で外出した場合、その外出において飼い猫が他の動物（猫や犬、人間など）に遭遇するたびに、その飼い猫の他の動物に対する反応を反映した情報が、その他の動物を特定する情報とともに記憶される。また、例えば、野生動物の生活において野生動物が他の野生動物に遭遇するたびに、その野生動物の他の野生動物に対する反応を反映した情報が、その他の野生動物を特定する情報とともに記憶される。したがって、この飼い主等用情報端末では、飼い犬、飼い猫、あるいは野生動物などの動物社会の状況を反映した情報を記憶・蓄積することができる。この結果、この飼い主等用情報端末では、第１動物反応情報記憶手段に記憶・蓄積される情報を出力（例えば、ディスプレイへの画面表示やプリンタへの印刷など）することができれば、犬や猫などのペットの飼い主や野生動物の観察者（研究者）などが動物社会の状況を知得することができる。また、特に、犬の飼い主は、第１動物反応情報記憶手段に記憶・蓄積される情報を利用して、飼い犬を散歩に連れ行く場合において、その飼い犬を、その飼い犬が好意を抱いている他の飼い犬に頻繁に会わせるように散歩時間に散歩ルートを合わせたり、逆に、その飼い犬を、その飼い犬が敵意を抱いている他の飼い犬に会わせないように散歩時間や散歩ルートを変更したりすることができる。
【発明の効果】
【００３２】
第１発明に係る動物社会状況知得システムでは、例えば、飼い犬の散歩などにおいて飼い犬が他の飼い犬などに遭遇するたびに、その飼い犬の他の飼い犬に対する反応を反映した情報が、その他の飼い犬を特定する情報とともに記憶される。また、例えば、飼い猫が単独で外出した場合、その外出において飼い猫が他の動物（猫や犬、人間など）に遭遇するたびに、その飼い猫の他の動物に対する反応を反映した情報が、その他の動物を特定する情報とともに記憶される。また、例えば、野生動物の生活において野生動物が他の野生動物に遭遇するたびに、その野生動物の他の野生動物に対する反応を反映した情報が、その他の野生動物を特定する情報とともに記憶される。したがって、この動物社会状況知得システムでは、飼い犬、飼い猫、あるいは野生動物などの動物社会の状況を反映した情報を記憶・蓄積することができる。この結果、この動物社会状況知得システムでは、第１動物反応情報記憶手段に記憶・蓄積される情報を出力（例えば、ディスプレイへの画面表示やプリンタへの印刷など）することができれば、犬や猫などのペットの飼い主や野生動物の観察者（研究者）などが動物社会の状況を知得することができる。また、特に、犬の飼い主は、第１動物反応情報記憶手段に記憶・蓄積される情報を利用して、飼い犬を散歩に連れ行く場合において、その飼い犬を、その飼い犬が好意を抱いている他の飼い犬に頻繁に会わせるように散歩時間に散歩ルートを合わせたり、逆に、その飼い犬を、その飼い犬が敵意を抱いている他の飼い犬に会わせないように散歩時間や散歩ルートを変更したりすることができる。
【００３３】
第２発明に係る動物社会状況知得システムでは、例えば、飼い犬の散歩などにおいて飼い犬が他の飼い犬などに遭遇するたびに、その飼い犬と他の飼い犬との相性関係を反映した情報が、その他の飼い犬を特定する情報とともに記憶される。また、例えば、飼い猫が単独で外出した場合、その外出において飼い猫が他の動物（猫や犬、人間など）に遭遇するたびに、その飼い猫と他の動物との相性関係を反映した情報がその他の動物を特定する情報とともに記憶される。また、例えば、野生動物の生活において野生動物が他の野生動物に遭遇するたびに、その野生動物と他の野生動物との相性関係を反映した情報が、その他の野生動物を特定する情報とともに記憶される。したがって、この動物社会状況知得システムでは、飼い犬、飼い猫、あるいは野生動物などの動物社会の状況を反映した情報を記憶・蓄積することができる。この結果、この動物社会状況知得システムでは、第１動物反応情報記憶手段に記憶・蓄積される情報を出力（例えば、ディスプレイへの画面表示やプリンタへの印刷など）することができれば、犬や猫などのペットの飼い主や野生動物の観察者（研究者）などが動物社会の状況を知得することができる。また、特に、犬の飼い主は、第１動物反応情報記憶手段に記憶・蓄積される情報を利用して、飼い犬を散歩に連れ行く場合において、その飼い犬を、その飼い犬と相性関係の良い他の飼い犬に頻繁に会わせるように散歩時間に散歩ルートを合わせたり、逆に、その飼い犬を、その飼い犬と相性関係が悪い他の飼い犬に会わせないように散歩時間や散歩ルートを変更したりすることができる。
【００３４】
第３発明に係る動物社会状況知得システムでは、簡易なロジックで第２動物反応情報を導出することができる。したがって、この動物社会状況知得システムでは、第２動物反応情報の導出処理を素早くすることができる。
第４発明に係る動物社会状況知得システムでは、簡易なロジックで動物相性関係情報を導出することができる。したがって、この動物社会状況知得システムでは、動物相性関係情報の導出処理を素早くすることができる。
【００３５】
第５発明に係る動物社会状況知得システムでは、簡易なロジックで第１動物反応情報を導出することができる。したがって、この動物社会状況知得システムでは、第１動物反応情報の導出処理を素早くすることができる。
第６発明に係る動物社会状況知得システムでは、第２動物用第１情報機器を第２動物に装着し且つ第２動物特定情報取得手段を第１動物に装着しておけば、第２動物と第１動物とが所定の距離（例えば、数メートル）まで接近したときに、第２動物特定情報取得手段が自動的に第２動物特定情報を取得することができる。したがって、この動物社会状況知得システムでは、簡便に且つタイミングよく第２動物特定情報を取得することができる。
【００３６】
第７発明に係る動物社会状況知得システムでは、例えば、飼い猫が単独で外出した場合において、その外出における飼い猫の他の動物（猫や犬、人間など）との遭遇履歴を飼い主が把握することができる。また、この動物社会状況知得システムでは、例えば、野生動物の生活において野生動物の他の野生動物との遭遇履歴を観察者や研究者が把握することができる。したがって、この動物社会状況知得システムでは、第１動物反応情報記憶手段に記憶・蓄積される情報を出力（例えば、ディスプレイへの画面表示やプリンタへの印刷など）することができれば、飼い主や観察者などは、飼い猫や野生動物の生態をより詳細に知得することができる。
【００３７】
第８発明に係る動物社会状況知得システムでは、第１動物反応情報記憶手段に記憶・蓄積される情報を出力（例えば、ディスプレイへの画面表示やプリンタへの印刷など）することができれば、飼い主や観察者などは、第２動物の特性などを知得することができる。したがって、この動物社会状況知得システムでは、飼い主や観察者などは、飼い犬、飼い猫、あるいは野生動物の生態をより詳細に知得することができる。また、特に、犬の飼い主は、他の飼い犬の飼い主からその他の飼い犬の紹介を受けなくてもその他の飼い犬の名前や雌雄などの情報を得ることができる。
【００３８】
第９発明に係る動物社会状況知得システムでは、第２動物用第２情報機器を第２動物に装着し且つ第２動物固有情報取得手段を第１動物に装着しておけば、第２動物と第１動物とが所定の距離（例えば、数メートル）まで接近したときに、第２動物固有情報取得手段が自動的に第２動物固有情報を取得することができる。したがって、この動物社会状況知得システムでは、簡便に且つタイミングよく第２動物固有情報を取得することができる。
【００３９】
第１０発明に係る動物社会状況知得システムでは、飼い主が第１動物と第２動物との出会いを経時的に追跡することができる。
第１１発明に係る動物社会状況知得システムでは、第１動物が飼い犬や飼い猫などである場合、電波発信等装置を第１動物に装着しておけば、第１動物が迷子になった場合に、飼い主は、容易にその居場所をつきとめることができる。また、第１動物および第２動物がともに飼い犬である場合、第１動物と第２動物とに電波発信等装置を装着しておけば、その犬の飼い主は、他の飼い犬の位置を確認することにより、その飼い犬と他の飼い犬とを会わせたり、逆にその飼い犬を他の飼い犬から遠ざけたりすることができる。また、第１動物が飼い猫や野生動物である場合、飼い主や観察者などは、その飼い猫や野生動物の行動範囲や活動ルートを知得することができる。
【００４０】
第１２発明に係る動物社会状況知得システムでは、例えば、第１動物が飼い猫や野生動物である場合、飼い主や観察者などは、逐一追跡しなくても、その飼い猫や野生動物の行動範囲や活動ルートを容易に知得することができる。
第１３発明に係る動物社会状況知得システムでは、例えば、第１動物が飼い猫や野生動物である場合、飼い主や観察者などは、所定の情報機器を所持していれば、第１動物から離れたところであっても、適宜、種々の情報を閲覧することができる。特に、第１動物が野生動物である場合は、観察者などの安全を確保することができる。
【００４１】
第１４発明に係る動物用情報端末では、例えば、飼い猫が単独で外出した場合、その外出において飼い猫が他の動物（猫や犬、人間など）に遭遇するたびに、その飼い猫の他の動物に対する反応を反映した情報が、その他の動物を特定する情報とともに記憶される。また、例えば、野生動物の生活において野生動物が他の野生動物に遭遇するたびに、その野生動物の他の野生動物に対する反応を反映した情報が、その他の野生動物を特定する情報とともに記憶される。したがって、この動物用情報端末では、人間の管理下にない飼い猫あるいは野生動物などの動物社会の状況を反映した情報を記憶・蓄積することができる。この結果、飼い主や観察者などが、第１動物反応情報記憶手段に記憶・蓄積される情報を出力（例えば、ディスプレイへの画面表示やプリンタへの印刷など）することができれば、猫などのペットの飼い主や野生動物の観察者（研究者）などが動物社会の状況を知得することができる。
【００４２】
第１５発明に係る飼い主等用情報端末では、例えば、飼い犬の散歩などにおいて飼い犬が他の飼い犬などに遭遇するたびに、その飼い犬の他の飼い犬に対する反応を反映した情報が、その他の飼い犬を特定する情報とともに記憶される。また、例えば、飼い猫が単独で外出した場合、その外出において飼い猫が他の動物（猫や犬、人間など）に遭遇するたびに、その飼い猫の他の動物に対する反応を反映した情報が、その他の動物を特定する情報とともに記憶される。また、例えば、野生動物の生活において野生動物が他の野生動物に遭遇するたびに、その野生動物の他の野生動物に対する反応を反映した情報が、その他の野生動物を特定する情報とともに記憶される。したがって、この飼い主等用情報端末では、飼い犬、飼い猫、あるいは野生動物などの動物社会の状況を反映した情報を記憶・蓄積することができる。この結果、この飼い主等用情報端末では、第１動物反応情報記憶手段に記憶・蓄積される情報を出力（例えば、ディスプレイへの画面表示やプリンタへの印刷など）することができれば、犬や猫などのペットの飼い主や野生動物の観察者（研究者）などが動物社会の状況を知得することができる。また、特に、犬の飼い主は、第１動物反応情報記憶手段に記憶・蓄積される情報を利用して、飼い犬を散歩に連れ行く場合において、その飼い犬を、その飼い犬が好意を抱いている他の飼い犬に頻繁に会わせるように散歩時間に散歩ルートを合わせたり、逆に、その飼い犬を、その飼い犬が敵意を抱いている他の飼い犬に会わせないように散歩時間や散歩ルートを変更したりすることができる。
【発明を実施するための最良の形態】
【００４３】
〔動物社会状況知得システムの構成〕
動物社会状況知得システム１は、図１に示されるように、主に、ペット情報装置４ａ，４ｂ、飼い主用端末５（図７参照）、およびＧＰＳ（全地球測位システム）６から構成される。以下、それぞれの構成要素について詳述する。
（１）ペット情報装置
ペット情報装置４ａ，４ｂは、ペット（例えば、犬や猫など）２ａ，２ｂの首周り付近に装着するための装置であって、図２に示されるように、主に、デジタル体温計４５、デジタル脈拍計４６、Ｂｌｕｅｔｏｏｔｈ（以下、ＢＴと略する）トランシーバ４７、ＧＰＳ受信機４８、情報送信装置（例えばモデム等）４９、ＲＯＭ（Read Only Memory）４１、ＲＡＭ（Random Access Memory）４２、ＥＥＰＲＯＭ４３、コンパクトフラッシュ（登録商標）（以下、ＣＦと略する）ドライブ４４、ＣＰＵ（中央処理装置）４０等から構成される。ここで、ＲＯＭ４１，ＲＡＭ４２，ＥＥＰＲＯＭ４３，ＣＦドライブ４４、デジタル体温計４５、デジタル脈拍計４６、ＢＴトランシーバ４７、ＧＰＳ受信機４８、および情報送信装置４９は、制御バス、データバス、およびアドレスバス等を通じてＣＰＵ４０に通信接続されている。
【００４４】
デジタル体温計４５は、ペット２ａ，２ｂの体温を測定するための計測器であって、主に、計測部４５Ａ（図３参照）およびＡ／Ｄコンバータ（図示せず）等から構成される。計測部４５Ａは、図３に示されるように、ペット２ａ，２ｂの体に直接接触するようにペット情報装置４ａ，４ｂのケーシングの外部に露出している。
デジタル脈拍計４６は、ペット２ａ，２ｂの脈拍を測定するための計測器であって、主に、計測部４６Ａ（図３参照）およびＡ／Ｄコンバータ（図示せず）等から構成される。計測部４６Ａは、図３に示されるように、ペット２ａ，２ｂの体に直接接触するようにペット情報装置４ａ，４ｂのケーシングの外部に露出している。
【００４５】
ＢＴトランシーバ４７は、Ｂｌｕｅｔｏｏｔｈ規格に対応した送受信装置である。通常、このＢＴトランシーバ４７同士の通信可能距離はおよそ１０メートルであるが、本実施形態では、ＢＴトランシーバ４７同士の通信可能距離は１メートルに制限されている。なお、このＢＴトランシーバ４７には、常に電源が投入されている。したがって、このＢＴトランシーバ４７は、図４に示されるように、他のＢＴトランシーバ４７の１メートル以内の距離範囲に入るとそのＢＴトランシーバ４７と通信を開始し始め、他のＢＴトランシーバ４７と１メートル以上離れると通信を終了する。
【００４６】
ＧＰＳ受信機４８は、後述する複数のＧＰＳ衛星６ａ，６ｂ，６ｃ，６ｄ・・・から発信される時刻データを取得する。
情報送信装置４９は、ＣＰＵ４０の演算部４０Ｂにより導出された位置情報（後述）を所定の基地局６ｚに送信する。
ＲＯＭ４１は、不揮発性のメモリであって、本実施の形態では主に各機器４１〜４８の制御プログラム、演算プログラム、第１関連テーブル、第２関連テーブル、その他プログラムの実行に必要な所定のデータ等を格納している。なお、制御プログラムには、プログラムタイマが組み込まれており、時刻を刻んでいる。また、第１関連テーブルでは、図５に示されるように、体温情報および脈拍数情報とペット２ａ，２ｂの感情情報とが関連付けられている。第２関連テーブルでは、図６に示されるように、自己のペット２ａ，２ｂの感情情報および他人のペット２ａ，２ｂの感情情報と、自己のペット２ａ，２ｂと他人のペット２ａ，２ｂとの相性情報とが関連付けられている。
【００４７】
ＲＡＭ４２は、ＲＯＭ４１やＥＥＰＲＯＭ４３よりもデータ処理速度の高い揮発性のメモリであって、本実施の形態では、メインメモリとして利用される。
ＥＥＰＲＯＭ４３は、電気的に書き換え可能なＲＯＭであって、本実施の形態では、主に、ペット固有情報を格納する。ここで、ペット固有情報とは、例えば、ペット２ａ，２ｂの特定情報（名前、学術名、分類名、種別名、飼い主名、飼い主３ａ，３ｂの住所、ペットの肖像、および飼い主の肖像など）や個体情報（年齢、雌雄、好物、好きな遊び、好きな場所、好きな散歩ルート等）などである。
【００４８】
ＣＦドライブ４４は、ＣＦ専用のドライブであって、ＣＦが装着された状態で、ペット２ａ，２ｂの体温情報、脈拍数情報、および種々加工された情報（例えば、後述するペット感情情報やペット相性情報など）などをＣＦメディアに書き込む。なお、ＣＦメディアは、周知のようにＣＦドライブ搭載のパーソナルコンピュータで読み取り可能である。
ＣＰＵ（中央処理装置）４０は、主に、制御部４０Ａおよび演算部４０Ｂから構成されている。なお、このＣＰＵ４０には、一次キャッシュや二次キャッシュが設けてられていてもかまわない。制御部４０Ａは、ＲＯＭ４１からＲＡＭ４２に提供される制御プログラムや演算プログラムに記述される指令に従って、演算部４０Ｂおよび各装置４１〜４８の動作を制御する。演算部４０Ｂは、制御部４０Ａから発せられる制御信号に従って、デジタル体温計４５やデジタル脈拍計４６から供給される計測データ、ＢＴトランシーバ４７から供給されるデータ、およびＧＰＳ受信機４８から供給される時刻データなどを利用して他の必要な情報を導出する。なお、特に、この演算部４０Ｂは、ＧＰＳ受信機４８から供給される時刻データの差を計算して位置情報を導出する。
【００４９】
（２）飼い主用端末
（２−１）飼い主用端末のハード構成
飼い主用端末５は、図７に示されるような携帯端末であって、主に、ペット２ａ，２ｂの飼い主３ａ，３ｂに所持される。この飼い主用端末５は、図８に示されるように、主に、ＢＴトランシーバ５５、情報受信装置５６、ハードディスク５１、ＲＡＭ５２、ディスプレイ５３、および入力装置５４から構成されている。
【００５０】
ＢＴトランシーバ５５は、Ｂｌｕｅｔｏｏｔｈ規格に対応した送受信装置である。通常、このＢＴトランシーバ４７，５５同士の通信可能距離はおよそ１０メートルであるが、本実施形態では、ＢＴトランシーバ４７，５５同士の通信可能距離は１メートルに制限されている。なお、このＢＴトランシーバ５５には、必要に応じて電源が投入される（中央ボタン５４ａを押すと電源が投入されるようになっている）。つまり、飼い主３ａ，３ｂが、ペット情報装置４ａ，４ｂから所定のデータを飼い主用端末５に取り込みたいとき等にだけ、ＢＴトランシーバ５５が動作するように設計されている。
【００５１】
情報受信装置５６は、ペット情報装置４ａ，４ｂから所定の基地局６ｚを通じて送信されてくるペット２ａ，２ｂの位置情報を受信する。
ハードディスク５１には、オペレーティングシステムその他ソフトウェア、ドライバ等が格納されている。
ＲＡＭ５２は、ハードディスク５１よりもデータ処理速度の高い揮発性のメモリであって、本実施の形態では、メインメモリとして利用される。
【００５２】
ディスプレイ５３は、ＣＰＵ５０の指示に従って各種情報を表示する。
入力装置５４は、飼い主などが入力作業を行うためのものであって、中央ボタン５４ａ、左ボタン５４ｂ、右ボタン５４ｃ、上ボタン５４ｄ、および下ボタン５４ｅから構成されている（図７参照）。
（２−２）飼い主用端末における情報処理
飼い主用端末５では、上述したソフトウェアにより種々の情報処理が行われる。先ず、飼い主用端末５においてソフトウェアを起動させると、図９に示されるような操作メニュー画面がディスプレイ５３に表示される。操作メニュー画面は、図９に示されるように、主に、ペット情報回収ボタン５３ｂ、ペット情報表示ボタン５３ｃ、ペット探索ボタン５３ｄ、ペット情報変更ボタン５３ｅ、および他のペット情報表示ボタン５３ｆから構成されている。これらのボタン５３ｂ〜５３ｆの選択は選択カーソル５３ａを上ボタン５４ｄおよび下ボタン５４ｅにより合わせることによって行われ、ボタン５３ｂ〜５３ｆが選択された状態で中央ボタン５４ａが押されると、各ボタン５３ｂ〜５３ｆに対応する情報処理が実行される。
【００５３】
ペット情報回収ボタン５３ｂが選択され、中央ボタン５４ａが押されると、図１５に示されるフローチャートに表される情報処理が行われる（この情報処理については後に詳述する）。
ペット情報表示ボタン５３ｃが選択され、中央ボタン５４ａが押されると、図１０の向かって左側に示されるような「今日の遭遇ペットとの相性」を表示する画面５３ｇが表示される。なお、この画面５３ｇでは、遭遇ペット名前、遭遇時刻、および遭遇ペットとの相性が時系列で表示される。なお、この画面５３ｇでは、上ボタン５４ｄおよび下ボタン５４ｅを操作することにより画面をスクロールさせることが可能となっている。また、この画面５３ｇでは、左ボタン５４ｂおよび右ボタン５４ｃを操作することにより順次「ペット感情」を表示する画面５３ｈおよび「ペット相性関係」を表示する画面５３ｉを表示させることが可能となっている。「ペット感情」を表示する画面５３ｈでは、遭遇ペット名前、遭遇時刻、および遭遇ペットに対する感情が時系列で表示される。「ペット相性関係」を表示する画面５３ｉでは、他のペット２ａ，２ｂ間の相性関係が表示される。
【００５４】
ペット探索ボタン５３ｄが選択され、中央ボタン５４ａが押されると、図１１に示されるようなペット探索画面５３ｊがディスプレイ５３に表示される。このペット探索画面５３ｊでは、周辺地図が映し出され、情報受信装置５６に受信されるペット２ａ，２ｂの位置が所定の図形５３ｋで特定される（自動車などのナビゲーションシステムと同じ）。
なお、ペット２ａ，２ｂの位置情報の表示としては、例えば、自身のペット２ａ，２ｂが白抜きの星印で表示され、他のペット２ａ，２ｂが黒丸印で表示されるように設定される（図１１参照）。また、選択カーソル５３ｎにより図形５３ｋを選択すると、名前ボックス５３ｏに位置情報に対応するペット２ａ，２ｂの名前が表示されるようになっている。ちなみに、この選択カーソル５３ｎは、左ボタン５４ｂ、右ボタン５４ｃ、上ボタン５４ｄ、および下ボタン５４ｅにより移動させることが可能となっている。また、このペット探索画面５３ｊにおいて図形５３ｋが選択された状態で中央ボタン５４ａが押されると、その中央ボタン５４ａが押された時刻の１時間前からのペット２ａ，２ｂの経過ルートを表示することもできる。なお、このペット探索画面５３ｊが表示されるまでの処理については後に詳述する。また、このペット探索画面５３ｊでは、左ボタン５４ｂ、右ボタン５４ｃ、上ボタン５４ｄ、および下ボタン５４ｅによりさらに周囲の地図を表示させることも可能である。なお、選択カーソル５３ｎの移動操作と周囲地図表示操作とは中央ボタンの２度押しにより切り換えられるようになっている。
【００５５】
ペット情報変更ボタン５３ｅが選択され、中央ボタン５４ａが押されると、図１２に示されるようなペット情報変更画面５３ｌが表示される。このペット情報変更画面５３ｌには、ペット２ａ，２ｂの肖像、飼い主３ａ，３ｂの肖像、ペット２ａ，２ｂの名前、ペット２ａ，２ｂの分類、ペット２ａ，２ｂの種別、ペット２ａ，２ｂの年齢、ペット２ａ，２ｂの雌雄、飼い主３ａ，３ｂの名前、飼い主３ａ，３ｂの住所、ペット２ａ，２ｂの好物、ペット２ａ，２ｂの好きな遊び、ペット２ａ，２ｂの好きな場所、およびペット２ａ，２ｂの好きな散歩ルートが表示される。なお、これらの情報を変更する場合は、飼い主など３ａ，３ｂは、上ボタン５４ｄおよび下ボタン５４ｅを操作して情報項目を選択し、中央ボタン５４ａを押す。中央ボタン５４ａが押されると、肖像選択画面（図示せず）や文字情報入力画面（図示せず）が表示されるので、飼い主３ａ，３ｂは、そこで変更したい情報の入力を行う。そして、入力完了後に中央ボタン５４ａが押されると、その項目の情報が変更される。
【００５６】
他のペット情報表示ボタン５３ｆが選択され、中央ボタン５４ａが押されると、図１３に示されるような他のペット情報表示画面５３ｍが表示される。なお、このペット情報表示画面５３ｍでは、上ボタン５４ｄおよび下ボタン５４ｅを操作することにより画面をスクロールさせることが可能となっている。また、このペット情報表示画面５３ｍでは、左ボタン５４ｂおよび右ボタン５４ｃを操作することにより順次他のペット２ａ，２ｂの情報を表示させることが可能となっている。
【００５７】
（３）ＧＰＳ
ＧＰＳ６は、地上約２万kmを周回する２４個のＧＰＳ衛星６ａ，６ｂ，６ｃ，６ｄ・・・、ＧＰＳ衛星６ａ，６ｂ，６ｃ，６ｄ・・・の追跡と管制を行う管制局（図示せず）、ＧＰＳ受信機４８で構成されている。ＧＰＳ衛星は６軌道面６ａ，６ｂ，６ｃ，６ｄ・・・に４個ずつ配置されている。そして、このＧＰＳ６では、ＧＰＳ受信機４８により４個以上のＧＰＳ衛星６ａ，６ｂ，６ｃ，６ｄ・・・からの距離を同時に知ることによりＧＰＳ受信機４８の位置が決定される。なお、ＧＰＳ衛星６ａ，６ｂ，６ｃ，６ｄ・・・からＧＰＳ受信機４８までの距離は、ＧＰＳ衛星６ａ，６ｂ，６ｃ，６ｄ・・・から発信された電波がＧＰＳ受信機４８に到達するまでに要した時間から求められる。
【００５８】
〔動物社会状況知得システムにおいて行われる情報処理〕
（１）ペット情報交換処理
図１４には、ペット情報交換処理を表すフローチャートが示されている。
図１４において、ステップＳ１では、ＣＰＵ４０が、ＢＴトランシーバ４７が他のペット情報装置４ａ，４ｂのＢＴトランシーバ４７を認識したかを判定する。ステップＳ１のＣＰＵ４０の判定の結果、ＢＴトランシーバ４７が他のペット情報装置４ａ，４ｂのＢＴトランシーバ４７を認識した場合、処理はステップＳ２に移る。ステップＳ１のＣＰＵ４０の判定の結果、ＢＴトランシーバ４７が他のペット情報装置４ａ，４ｂのＢＴトランシーバ４７を認識していない場合、処理はステップＳ１に戻る。ステップＳ２では、ＣＰＵ４０が、プログラムタイマから他のＢＴトランシーバ４７の認識日時情報を取得し、ＲＡＭ４２に格納する。ステップＳ３では、ＣＰＵ４０が、デジタル体温計４５から体温計測データを取得し、ＲＡＭ４２に格納する。ステップＳ４では、ＣＰＵ４０が、デジタル脈拍計４６から脈拍数計測データを取得し、ＲＡＭ４２に格納する。ステップＳ５では、ＣＰＵ４０が、体温計測データおよび脈拍数計測データを、図５に示される第１関連テーブルに照らし合わせてペット感情情報を導出し、ＲＡＭ４２に格納する。ステップＳ６では、ＣＰＵ４０が、ＢＴトランシーバ４７を通じて、ＥＥＰＲＯＭ４３に格納されているペット固有情報およびステップＳ５において導出されたペット感情情報などを、他のペット情報装置４ａ，４ｂのＢＴトランシーバ４７に送信する。また、これと同時に、ＢＴトランシーバ４７が、他のペット情報装置４ａ，４ｂのＢＴトランシーバ４７から送信されてくる他のペット２ａ，２ｂのペット感情情報およびペット固有情報を受信し、ＲＡＭ４２に格納する。ステップＳ７では、ＣＰＵ４０がステップＳ５において導出されたペット感情情報および他のペット２ａ，２ｂのペット感情情報を、図６に示される第２関連テーブルに照らし合わせてペット間相性情報を導出し、ＲＡＭ４２に格納する。ステップＳ８では、ＣＰＵ４０が、ＲＡＭ４２に格納されている他のＢＴトランシーバ４７の認識日時情報、体温計測データ、脈拍数計測データ、ペット感情情報、ペット間相性情報、および他のペット２ａ，２ｂのペット固有情報を関連付けてＣＦに記憶する。
【００５９】
（２）ペット情報回収処理
飼い主用端末５のディスプレイ５３に操作メニュー画面が表示されている状態においてペット情報回収ボタン５３ｂが選択され、中央ボタン５４ａが押されると、ＢＴトランシーバ５５が起動され、図１５のフローチャートに表される情報処理が行われる。
図１５において、ステップＳ１１では、ＣＰＵ５０が、ＢＴトランシーバ５５がペット情報装置４ａ，４ｂのＢＴトランシーバ４７を認識したかを判定する。ステップＳ１１のＣＰＵ５０の判定の結果、ＢＴトランシーバ５５がペット情報装置４ａ，４ｂのＢＴトランシーバ４７を認識した場合、処理はステップＳ１２に移る。ステップＳ１１のＣＰＵ５０の判定の結果、ＢＴトランシーバ５５がペット情報装置４ａ，４ｂのＢＴトランシーバ４７を認識していない場合、処理はステップＳ１１に戻る。ステップＳ１２では、ＣＰＵ５０が、ペット情報端末４ａ，４ｂからＣＦに格納されている各種情報をハードディスク５１にダウンロードする。ステップＳ１３では、ＣＰＵ５０が、ＢＴトランシーバ５５がペット情報端末４ａ，４ｂからの各種情報のダウンロードを完了したかを判定する。ステップＳ１３のＣＰＵ５０の判定の結果、ＢＴトランシーバ５５がペット情報端末４ａ，４ｂからの各種情報のダウンロードを完了した場合、処理はステップＳ１４に移る。ステップＳ１３のＣＰＵ５０の判定の結果、ＢＴトランシーバ５５がペット情報端末４ａ，４ｂからの各種情報のダウンロードを完了していない場合、処理はステップＳ１３に戻る（ＢＴトランシーバ５５が引き続きダウンロードを行う）。ステップＳ１４では、ＣＰＵ５０が、ＢＴトランシーバ５５を停止する。
【００６０】
（３）ペット探索画面の起動処理
飼い主用端末５のディスプレイ５３に操作メニュー画面が表示されている状態においてペット探索ボタン５３ｄが選択され、中央ボタン５４ａが押されると、図１６のフローチャートに表される情報処理が行われる。
図１６において、ステップＳ２１では、ＣＰＵ５０が、情報受信装置５６に対して所定の基地局６ｚと通信させ、その基地局６ｚからペット２ａ，２ｂの位置情報を受信させる。ステップＳ２２では、ＣＰＵ５０が、周辺地図の対応する位置に、ペット２ａ，２ｂに対応する図形を表示する（地図内の特定位置と位置情報とは予め１対１に対応するように設定されている）。
【００６１】
〔動物社会状況知得システムの特徴〕
（１）
本実施の形態に係る動物社会状況知得システム１では、ＢＴトランシーバ４７が他のペット情報装置４ａ，４ｂのＢＴトランシーバ４７を認識すると、ＣＰＵ４０が、デジタル体温計４５から体温計測データを取得し、デジタル脈拍計４６から脈拍数計測データを取得する。そして、ＣＰＵ４０が、体温計測データおよび脈拍数計測データを第１関連テーブルに照らし合わせてペット感情情報を導出する。また、ＢＴトランシーバ４７は、他のペット２ａ，２ｂのペット固有情報を受信する。また、ＣＰＵ４０が、ペット感情情報と他のペット２ａ，２ｂのペット固有情報とを関連付けてＣＦに記憶する。このため、この動物社会状況知得システム１では、例えば、ペット２ａ，２ｂの散歩などにおいてペット２ａ，２ｂが他のペット２ａ，２ｂなどに遭遇するたびに、そのペット２ａ，２ｂの他のペット２ａ，２ｂに対する感情を反映した情報が、その他のペット２ａ，２ｂを特定する情報とともに記憶される。また、例えば、飼い猫が単独で外出した場合、その外出において飼い猫が他の動物（猫や犬、人間など）に遭遇するたびに、その飼い猫の他の動物に対する感情を反映した情報が、その他の動物を特定する情報とともに記憶される。したがって、この動物社会状況知得システム１では、飼い犬あるいは飼い猫などの動物社会の状況を反映した情報を記憶・蓄積することができる。また、この動物社会状況知得システム１では、ＣＦに記憶・蓄積される情報をパーソナルコンピュータ等を用いて出力（例えば、ディスプレイへの画面表示やプリンタへの印刷など）することができる。したがって、この動物社会状況知得システム１では、犬や猫などのペットの飼い主などが動物社会の状況を知得することができる。また、特に、犬の飼い主は、ＣＦに記憶・蓄積される情報を利用して、飼い犬を散歩に連れ行く場合において、その飼い犬を、その飼い犬が好意を抱いている他の飼い犬に頻繁に会わせるように散歩時間に散歩ルートを合わせたり、逆に、その飼い犬を、その飼い犬が敵意を抱いている他の飼い犬に会わせないように散歩時間や散歩ルートを変更したりすることができる。
【００６２】
（２）
本実施の形態に係る動物社会状況知得システム１では、他のペット情報装置４ａ，４ｂにおいてもＣＰＵ４０が、デジタル体温計４５から体温計測データを取得し、デジタル脈拍計４６から脈拍数計測データを取得する。次に、ＣＰＵ４０が、体温計測データおよび脈拍数計測データを第１関連テーブルに照らし合わせてペット感情情報を導出する。そして、他のペット情報装置４ａ，４ｂからペット情報装置４ａ，４ｂにペット感情情報が送信されると、ペット情報装置４ａ，４ｂにおいてＣＰＵ４０が、ペット感情情報および他のペット情報装置４ａ，４ｂから取得されたペット感情情報を、第２関連テーブルに照らし合わせてペット間相性情報を導出する。そして、ＣＰＵ４０が、他のペット情報装置４ａ，４ｂから送信されたペット固有情報とペット間相性情報とを関連付けてＣＦに記憶する。このため、この動物社会状況知得システム１では、例えば、ペット２ａ，２ｂの散歩などにおいてペット２ａ，２ｂが他のペット２ａ，２ｂなどに遭遇するたびに、そのペット２ａ，２ｂと他のペット２ａ，２ｂとの相性関係を反映した情報が、その他のペット２ａ，２ｂを特定する情報とともにＣＦに記憶される。また、例えば、飼い猫が単独で外出した場合、その外出において飼い猫が他の動物（猫や犬、人間など）に遭遇するたびに、その飼い猫と他の動物との相性関係を反映した情報がその他の動物を特定する情報とともに記憶される。したがって、この動物社会状況知得システム１では、飼い犬あるいは飼い猫などの動物社会の状況を反映した情報を記憶・蓄積することができる。この結果、この動物社会状況知得システム１では、ＣＦに記憶・蓄積される情報をパーソナルコンピュータ等に出力（例えば、ディスプレイへの画面表示やプリンタへの印刷など）することができる。したがって、この動物社会状況知得システム１では、犬や猫などのペットの飼い主などが動物社会の状況を知得することができる。また、特に、犬の飼い主は、ＣＦに記憶・蓄積される情報を利用して、飼い犬を散歩に連れ行く場合において、その飼い犬を、その飼い犬と相性関係の良い他の飼い犬に頻繁に会わせるように散歩時間に散歩ルートを合わせたり、逆に、その飼い犬を、その飼い犬と相性関係が悪い他の飼い犬に会わせないように散歩時間や散歩ルートを変更したりすることができる。
【００６３】
（３）
本実施の形態に係る動物社会状況知得システム１では、ＥＥＰＲＯＭ４３が、ペット固有情報を記憶している。また、他のペット情報装置４ａ，４ｂが１ｍの距離に入った場合に、ＢＴトランシーバ４７が他のペット情報装置４ａ，４ｂからペット固有情報を受信する。このため、この動物社会状況知得システム１では、簡便に且つタイミングよくペット固有情報を取得することができる。
【００６４】
（４）
本実施の形態に係る動物社会状況知得システム１では、ＣＰＵ４０が、プログラムタイマから他のＢＴトランシーバ４７の認識日時情報を取得する。そして、ＣＰＵ４０が、他のペット情報装置４ａ，４ｂから取得されたペット固有情報と他のＢＴトランシーバ４７の認識日時情報とを関連付けてＣＦに記憶する。このため、この動物社会状況知得システム１では、例えば、飼い猫が単独で外出した場合において、その外出における飼い猫の他の動物（猫や犬、人間など）との遭遇履歴を飼い主３ａ，３ｂが把握することができる。したがって、この動物社会状況知得システム１では、ＣＦに記憶・蓄積される情報をパーソナルコンピュータ等を用いて出力（例えば、ディスプレイへの画面表示やプリンタへの印刷など）することができる。その結果、この動物社会状況知得システム１では、飼い主３ａ，３ｂなどは、飼い猫などの生態をより詳細に知得することができる。
【００６５】
（５）
本実施の形態に係る動物社会状況知得システム１では、ペット情報装置４ａ，４ｂにＧＰＳ受信機４８が内蔵されている。また、ペット情報装置４ａ，４ｂにおいて、情報送信装置４９が、ＣＰＵ４０の演算部４０Ｂにより導出された位置情報（後述）を基地局６ｚに送信する。そして、飼い主用端末５において、情報受信装置５６が、基地局６ｚから特定のペット２ａ，２ｂの位置情報を受信する。このため、この動物社会状況知得システム１では、ペット２ａ，２ｂが迷子になった場合に、飼い主３ａ，３ｂは、容易にその居場所をつきとめることができる。また、ペット２ａ，２ｂが飼い犬である場合、飼い主３ａ，３ｂは、他の飼い犬の位置を確認することにより、その飼い犬と他の飼い犬とを会わせたり、逆にその飼い犬を他の飼い犬から遠ざけたりすることができる。また、ペット２ａ，２ｂが飼い猫である場合、飼い主などは、その飼い猫の行動範囲や活動ルートを知得することができる。
【００６６】
（６）
本実施の形態に係る動物社会状況知得システム１では、飼い主端末５のペット探索画面５３ｊにおいて図形５３ｋ選択された状態で中央ボタン５４ａが押されると、その中央ボタン５４ａが押された時刻の１時間前からのペット２ａ，２ｂの経過ルートを表示することもできる。このため、この動物社会状況知得システム１では、ペット２ａ，２ｂが飼い猫などである場合、飼い主３ａ，３ｂは、逐一追跡しなくても、その飼い猫などの行動範囲や活動ルートを容易に知得することができる。
【００６７】
〔変形例〕
（Ａ）
先の実施形態に係る動物社会状況知得システム１では、ペット情報装置４ａ，４ｂにデジタル体温計４５およびデジタル脈拍計４６から得られる情報によりペット２ａ，２ｂの感情情報を生成したが、デジタル体温計４５およびデジタル脈拍計４６を犬や猫の翻訳機に代えて、犬や猫の翻訳機から得られる翻訳情報によりペット２ａ，２ｂの感情情報を生成してもよい。
【００６８】
（Ｂ）
先の実施形態に係る動物社会状況知得システム１では、各種情報をＣＦに格納したが、これに代えて、各種情報をメモリースティック（登録商標）、スマートメディア（登録商標）、またはマイクロドライブ（登録商標）などに格納してもよい。ただし、専用のドライブが必要になる。
【００６９】
（Ｃ）
先の実施形態に係る動物社会状況知得システム１では、ペット情報装置４ａ，４ｂにおいて、情報送信装置４９が、ＣＰＵ４０の演算部４０Ｂにより導出された位置情報（後述）を基地局６ｚに送信し、飼い主用端末５において、情報受信装置５６が、基地局６ｚから特定のペット２ａ，２ｂの位置情報を受信することができたが、この際、情報送信装置４９が、位置情報のみならずＣＦに格納されている種々の情報を基地局に送信し、それらの情報が飼い主用端末５の情報受信装置５６に受信されるようにしてもよい。このようにすれば、例えば、ペット２ａ，２ｂが飼い猫である場合、飼い主３ａ，３ｂは、家に居ながら飼い猫の様子を把握することができる。
【００７０】
（Ｄ）
先の実施形態に係る動物社会状況知得システム１では、ペット２ａ，２ｂの探索用途にＧＰＳを採用したが、これに代えて、Ｄ−ＧＰＳを採用してもよい。このようにすれば、位置情報の精度が向上する。
（Ｅ）
先の実施形態に係る動物社会状況知得システム１では、ペット２ａ，２ｂの探索用途にＧＰＳを採用したが、これに代えて、ＧＰＳ衛星の機能を搭載した空気調和装置の室外ユニットから成る位置情報提供システムを採用してもよい。
【００７１】
（Ｆ）
先の実施形態に係る動物社会状況知得システム１では、ステップＳ２において、ＣＰＵ４０が、プログラムタイマから他のＢＴトランシーバ４７の認識日時情報を取得し、ＲＡＭ４２に格納したが、これに代えて、ステップＳ６において、ＣＰＵ４０が、プログラムタイマから他のペット感情情報およびペット情報を受信した時刻を取得して、ＲＡＭ４２に格納してもよい。
【００７２】
（Ｇ）
先の実施形態に係る動物社会状況知得システム１は、ペット２ａ，２ｂを対象としていたが、システムの対象は野生動物であってもかまわない。なお、対象が野生動物となる場合は、各種情報は、ＣＦに格納されるのではなく逐次、研究センター等のコンピュータに配信されるようにするのが好ましい。このようにすれば、野生動物の生態系や活動範囲などの調査が容易になる。
【００７３】
（Ｈ）
先の実施形態に係る動物社会状況知得システム１では、ペット２ａ，２ｂの探索用途にＧＰＳを採用したが、これに代えて、発信器などを採用してもかまわない。
（Ｉ）
先の実施形態に係る動物社会状況知得システム１では、ペット感情情報およびペット間相性情報が、ペット情報装置４ａ，４ｂ側において導出された後にＣＦに格納されたが、これらの情報が、ペット情報装置４ａ，４ｂ側でなく飼い主用端末５側で導出された後にハードディスク５１に格納されてもよい。かかる場合、演算プログラムや関連テーブルは、飼い主用端末５のハードディスク５１に格納されることになる。このようにすれば、ペット情報装置４ａ，４ｂからＣＦドライブを取り除くことができ、ペット情報装置４ａ，４ｂを小型化することができる。なお、かかる場合、ペット情報装置４ａ，４ｂと飼い主用端末５とは常時通信している必要がある（特に、ペット２ａ，２ｂが飼い犬などである場合に有効である）。また、このような動物社会状況知得システム１において、他のペット情報装置４ａ，４ｂのＢＴトランシーバ４７から送信されるペット感情情報およびペット固有情報が、ペット情報装置４ａ，４ｂのＢＴトランシーバ４７ではなく飼い主用端末５のＢＴトランシーバ５５に直接受信されるようにしてもかまわない。
【００７４】
（Ｊ）
先の実施形態に係る動物社会状況知得システム１では、飼い主用端末５とペット情報装置４ａ，４ｂとがＢｌｕｅｔｏｏｔｈで接続されるようになっていたが、ペット２ａ，２ｂが飼い犬の場合などは、有線（例えば、ＬＡＮケーブル等）で接続されてもよい。
【産業上の利用可能性】
【００７５】
本発明に係る動物社会状況知得システムは、犬や猫などのペットの飼い主や野生動物の観察者（研究者）などが動物社会の状況を知得することができるという特徴を有し、ペットの管理や野生動物の研究などに有用である。
【図面の簡単な説明】
【００７６】
【図１】動物社会状況知得システムのシステム概要を表す図（情報未交信状態）。
【図２】ペット情報装置の簡易構成図。
【図３】ペット情報装置の外観を表す六面図。
【図４】動物社会状況知得システムのシステム概要を表す図（情報交信状態）。
【図５】第１関連テーブルの概念図。
【図６】第２関連テーブルの概念図。
【図７】飼い主用端末の外観斜視図。
【図８】飼い主用端末の簡易構成図。
【図９】飼い主用端末のディスプレイに表示される操作メニュー画面を表す図。
【図１０】飼い主用端末のディスプレイに表示されるペット情報表示画面を表す図。
【図１１】飼い主用端末のディスプレイに表示されるペット探索画面を表す図。
【図１２】飼い主用端末のディスプレイに表示されるペット情報変更画面を表す図。
【図１３】飼い主用端末のディスプレイに表示される他のペット情報表示画面を表す図。
【図１４】ペット情報交換処理の流れを表すフローチャート。
【図１５】ペット情報回収処理の流れを表すフローチャート。
【図１６】ペット探索画面の起動処理の流れを表すフローチャート。
【符号の説明】
【００７７】
１      動物社会状況知得システム
２ａ    ペット（第１動物）
２ｂ    ペット（第２動物）
４ｂ    ペット情報装置（第２動物用第１情報機器、第２動物用第２情報機器）
５      飼い主用端末（飼い主等用情報端末）
４０      ＣＰＵ（第１動物感情情報導出手段、第２動物感情情報導出手段、動物相性関係情報導出手段、第２情報受信時刻情報取得手段）
４１      ＲＯＭ（第１情報関連テーブル保持手段、第２情報関連テーブル保持手段、第３情報関連テーブル保持手段）
４３      ＥＥＰＲＯＭ（第２動物特定情報記憶手段、第２動物固有情報記憶手段）
４４      ＣＦドライブ（第１動物感情情報記憶手段）
４５      デジタル体温計（第１動物生体情報取得手段、第２動物生体情報取得手段）
４６      デジタル脈拍計（第１動物生体情報取得手段、第２動物生体情報取得手段）
４７      ＢＴトランシーバ（第２動物特定情報取得手段、第２動物固有情報取得手段、第２動物特定情報送信手段、第２動物固有情報送信手段）
４８      ＧＰＳ受信機（電波発信等装置）
５０      ＣＰＵ（第１動物感情情報導出手段）
５１      ハードディスク（第１動物感情情報記憶手段）
５５      ＢＴトランシーバ（生体情報受信手段、第２動物特定情報取得手段）
５６      情報受信装置（位置情報取得手段）
【図１】
2006181132.tif 000003
【図２】
2006181132.tif 000004
【図３】
2006181132.tif 000005
【図４】
2006181132.tif 000006
【図５】
2006181132.tif 000007
【図６】
2006181132.tif 000008
【図７】
2006181132.tif 000009
【図８】
2006181132.tif 000010
【図９】
2006181132.tif 000011
【図１０】
2006181132.tif 000012
【図１１】
2006181132.tif 000013
【図１２】
2006181132.tif 000014
【図１３】
2006181132.tif 000015
【図１４】
2006181132.tif 000016
【図１５】
2006181132.tif 000017
【図１６】
2006181132.tif 000018